(57)【要約】【課題】メールセンター内に保留された電子メールを効率的に受信する。【解決手段】携帯電話機が無線通信により移動通信網４と通信ネットワークを形成し、移動通信網４に接続されたメールセンター３との間で電子メールの送受信を行うW-CDMA方式携帯電話システムにおいて、電子メール宛先の携帯電話機２，６がサービスエリアの圏内で音声発呼又は音声着呼を行うと、音声通話中に、携帯電話機２，６から移動通信網４へ自動的にメールセンター３に新着メールが保留されているか否かの問い合わせを行う。若し保留された新着メールがある場合には、続いて携帯電話機２，６はメールセンター３から移動通信網４を介して保留されていた新着メールのメール本文を受信する。【選択図】図２
2006325058.tif 000002
【特許請求の範囲】
【請求項１】
無線通信により移動通信網と通信ネットワークを形成し、前記移動通信網に接続されたメールセンターとの間で電子メールの送受信を行うW-CDMA方式携帯電話機において、
前記携帯電話機が音声発呼又は音声着呼を行うと、音声通話中に、前記携帯電話機から前記移動通信網へ自動的に前記メールセンターに新着電子メールが保留されているか否かの問い合わせを行い、保留された前記新着電子メールがある場合には、続いて前記携帯電話機は前記メールセンターから前記移動通信網を介してメール本文を受信することを特徴とする、
W-CDMA方式携帯電話システム。
【請求項２】
無線通信により移動通信網と通信ネットワークを形成し、前記移動通信網に接続されたメールセンターとの間で電子メールの送受信を行うW-CDMA方式携帯電話機において、
前記携帯電話機が音声発呼又は音声着呼を行うと、前記メールセンターに前記携帯電話機宛の保留された新着電子メールがある場合には、音声通話中に、前記移動通信網から前記携帯電話機へページングメッセージを送信し、前記ページングメッセージを受信した前記携帯電話機が続いて前記移動通信網を経由して前記メールセンターに保留された前記新着電子メールのメール本文を受信することを特徴とする、
W-CDMA方式携帯電話システム。
【請求項３】
無線通信により移動通信網と通信ネットワークを形成し、前記移動通信網に接続されたメールセンターとの間で電子メールの送受信を行うW-CDMA方式携帯電話機において、
前記携帯電話機がパケット発呼を行うと、パケット通信中に、前記携帯電話機から前記移動通信網へ自動的に前記メールセンターに新着電子メールが保留されているか否かの問い合わせを行い、保留された前記新着電子メールがある場合には、続いて前記携帯電話機は前記メールセンターから前記移動通信網を介してメール本文を受信することを特徴とする、
W-CDMA方式携帯電話システム。
【請求項４】
無線通信により移動通信網と通信ネットワークを形成し、前記移動通信網に接続されたメールセンターとの間で電子メールの送受信を行うW-CDMA方式携帯電話機において、
前記携帯電話機がパケット発呼を行うと、前記メールセンターに前記携帯電話機宛の保留された新着電子メールがある場合には、パケット通信中に、前記移動通信網から前記携帯電話機へページングメッセージを送信し、前記ページングメッセージを受信した前記携帯電話機が続いて前記移動通信網を経由して前記メールセンターに保留された前記新着電子メールのメール本文を受信することを特徴とする、
W-CDMA方式携帯電話システム。
【請求項５】
請求項１乃至４の何れかに記載の前記W-CDMA方式携帯電話システムに於いて用いられることを特徴とする、
携帯電話機。
【発明の詳細な説明】
【技術分野】
【０００１】
本発明は、移動通信網に接続されたメールセンターと携帯電話機との間で電子メールの送受信を行う電子メール送受信方法と、この方法に用いるW-CDMA方式携帯電話システムとに関する。
【背景技術】
【０００２】
一般に、携帯電話機における電子メールの送受信は、移動通信網に接続されたメールセンター内のメールサーバーを介して行われる。携帯電話機または他の公衆網の通信端末から送信された電子メールは、移動通信網等を経由してメールセンターに一旦格納される。メールセンターは、移動通信網経由で電子メールの宛先の携帯電話機に対してページングメッセージを送信し、新着メールがある旨を通知する。しかしながら、移動通信網は無線通信を使用して携帯電話機との通信ネットワークを形成しているため、宛先の携帯電話機がサービスエリア圏外に存在する場合には、前記ページングメッセージを受信できず、電子メールを受け取ることができない。また、無線通信を使用しているため、宛先の携帯電話機がサービスエリア圏内に存在していたとしても、フェージングの影響等で前記ページングメッセージを受信できなかった場合、同様に電子メールを受信することができない。これらの場合、電子メールはメールセンターに保留されたままとなる。
【０００３】
この様にメールセンターに保留された電子メールを携帯電話機のユーザーが受け取るためには、次の２通りの方法がある。
【０００４】
第１の方法としては、携帯電話機のユーザーが、サービスエリア圏内に復帰した後に、メールのセンター問い合わせを行い、保留されたメールがある場合には続いてメール本文を受信することで、保留中の電子メールを受け取ることができる。
【０００５】
第２の方法としては、携帯電話機のユーザーがサービスエリア圏内に復帰した後に、たまたま新たな電子メールが同じ宛先でメールセンターに届くと、宛先の携帯電話機へページングメッセージが送信され、これを受信した携帯電話機が続いてメール本文を受信することで、保留中の電子メールを新たに届いた電子メールと一緒に受け取ることができる。
【０００６】
従来技術においては、携帯電話機がサービスエリア圏外からサービスエリア圏内へ復帰した後、規定時間以上サービスエリア圏内に留まった場合に自動的にメールのセンター問い合わせを行うようにし、保留中の電子メールを受け取れるようにしていた。（例えば、特許文献１参照）
【０００７】
【特許文献１】特開２００３−３２７５１号公報
【特許文献２】特開平１１−２５２６５５号公報
【特許文献３】特開２００３−２８３６０５号公報
【発明の開示】
【発明が解決しようとする課題】
【０００８】
しかしながら、メールのセンター問い合わせはパケット発呼動作であるため、この方法では、待ち受け状態からパケット通信状態への移行に伴い、無線機（特に送信機）をオフからオンにする必要があり、待ち受け時間の著しい低下を招く。
【０００９】
また、サービスエリア圏外からサービスエリア圏内へ復帰する度に発呼動作を行うので、規定時間を設けているとはいえ、必要以上にトラフィックが増大し、移動通信網に大きな負担を掛ける。
【００１０】
また、サービスエリア圏外からサービスエリア圏内へ復帰した際にメールのセンター問い合わせを行うため、宛先の携帯電話機が常にサービスエリア圏内に存在しているにも拘わらずフェージングの影響等でページングメッセージを受信できなかった場合、電子メールはメールセンター内に保留されたままになる、と言う問題点があった。
【００１１】
本発明は上記のような問題点を解消するためになされたものであり、メールのセンター問い合わせに伴う待ち受け時間の低下やトラフィックの増大を防ぐことができる電子メール送受信技術を有するW-CDMA方式携帯電話システムを提供することを目的とする。また、本発明は、携帯電話機が常にサービスエリア圏内に存在しているにも拘わらず、フェージングの影響等で電子メールを受信できなかった場合でも、ユーザーが特に意識することなしにメールセンター内に保留された電子メールを受信することができるW-CDMA方式携帯電話システムを提供することをも、その目的とする。
【課題を解決するための手段】
【００１２】
この発明の主題に係るW-CDMA方式携帯電話システムは、無線通信により移動通信網と通信ネットワークを形成し、前記移動通信網に接続されたメールセンターとの間で電子メールの送受信を行うW-CDMA方式携帯電話機において、当該携帯電話機が音声発呼又は音声着呼を行うと、音声通話中に、前記携帯電話機から前記移動通信網へ自動的に前記メールセンターに新着メールが保留されているか否かの問い合わせを行い、保留された前記新着メールがある場合には、続いて前記携帯電話機は前記メールセンターから前記移動通信網を介してメール本文を受信することを特徴とする。
【００１３】
以下、この発明の主題の様々な具体化を、添付図面を基に、その効果・利点と共に、詳述する。
【発明の効果】
【００１４】
本発明の主題によれば、携帯電話機と移動通信網の間の呼が既に張られた状態、即ち無線機（特に送信機）が既にオンした状態でメールのセンター問い合わせを行うようにしたので、本問い合わせ動作及びメール本文受信動作に伴う電流増加はない。また、既に呼が張られているので、余分なトラフィックの増加もない。以上により、メールのセンター問い合わせに伴う待ち受け時間の低下やトラフィックの増大を防ぐことができる効果がある。また、携帯電話機が常にサービスエリア圏内に存在しているにも拘わらずフェージングの影響等で電子メールを受信できなかった場合でも、音声発呼・着呼を行うことにより自動的にメールのセンター問い合わせを行うようにしたので、ユーザーが特に意識することなしにメールセンター内に保留された電子メールを受信することができる効果がある。
【発明を実施するための最良の形態】
【００１５】
図１は、本発明に係るW-CDMA方式携帯電話システムの構成を示すブロック図である。
【００１６】
図１において、本発明による電子メール送受信方法を実施するW-CDMA方式携帯電話システムは、携帯電話機１，２，６等と、移動通信網４と、メールセンター３とから構成される。メールセンター３はその内部にメールサーバーを備えており、移動通信網４は、携帯電話機と無線通信により通信ネットワークを形成し、メールセンター３と携帯電話機１，２，６は、移動通信網４を経由して、電子メールの送受信を行う。更にメールセンター３には、一般にインターネット８経由でインターネット上の他のメールサーバー７が接続される。サービスエリア５は、移動通信網４が無線通信により携帯電話機と通信ネットワークを形成可能な領域である。図１の構成では、一例として、携帯電話機１，２はサービスエリア５の圏内にあり、携帯電話機６はサービスエリア５の圏外にある。従って、図１に示す状態では、携帯電話機１，２及びインターネット上のメールサーバー７は、フェージングの影響がない状態では、相互に電子メールの送受信が可能である。
【００１７】
図１において、携帯電話機１から携帯電話機２へ電子メールを送信した場合、携帯電話機１から送信された電子メールは無線通信により移動通信網４を経由してメールセンター３に一旦格納される。メールセンター３は、移動通信網４経由で電子メールの宛先の携帯電話機２に対してページングメッセージを送信し、新着メールがある旨を通知する。このページングメッセージを受信した携帯電話機２が、メールセンター３から移動通信網４を経由して、無線通信により電子メールを受信する。但し、無線通信を使用しているため、携帯電話機２がフェージングの影響等で上記ページングメッセージを受信出来なかった場合には、携帯電話機２は電子メールを受信することが出来ない。
【００１８】
他方、携帯電話機１から、サービスエリア５の圏外にある携帯電話機６に電子メールを送信した場合、携帯電話機６は上記ページングメッセージを受信できず、電子メールを受信することが出来ない。
【００１９】
上記の様に、携帯電話機２，６が上記ページングメッセージを受信出来なかった場合には、電子メールはメールセンター３に保留されたままとなる。以下、携帯電話機２，６の何れかに宛てた電子メールが、上記要因によりメールセンター３に保留された場合について説明する。
【００２０】
（実施の形態１）
図２は、本実施の形態に係るW-CDMA方式携帯電話システムの動作を示すシーケンス図である。以下、図１を参照しつつ、図２に於ける動作を説明する。
【００２１】
携帯電話機１からの新着メールがあると、メールセンター３は、移動通信網４経由で電子メールの宛先の携帯電話機２，６に対してページングメッセージを送信し、新着メールがある旨を携帯電話機２，６に通知する。しかし、前述した要因により、携帯電話２，６はこのページングメッセージを受信できず、新着の電子メールはメールセンター３に保留されたままとなる。
【００２２】
その後、携帯電話機２，６のユーザーがサービスエリア５の圏内で音声発呼を行うと、ランダムアクセスメッセージによって開始される発呼シーケンスが実行され、音声通話状態となる。そして、音声通話中に、携帯電話機２，６から移動通信網４へ自動的にセンター問い合わせメッセージ（メールセンター３に携帯電話機２，６宛の新着メールが保留されているか否かの問い合わせ）が送信され、このセンター問い合わせメッセージに応じて、メールセンター３に保留されている電子メール本文が、メールセンター３から移動通信網４を経由して宛先の携帯電話機２，６に向けて送信され、その結果、携帯電話機２，６は、メールセンター３に保留されていた新着の電子メール本文を、移動通信網４経由で受信する。ここで、音声通話中のセンター問い合わせについては制御データチャネル（C-plane）上で行い、メール本文受信については、音声データが送受信されているユーザーデータチャネル（U-plane）の伝送レートを変更し、音声にパケットを多重化することで行う（本データ多重化機能は、W-CDMA方式携帯電話システムでは「マルチコール」と呼ばれている）。
【００２３】
以上の記載では、携帯電話機２，６のユーザーが音声発呼を行った場合について説明したが、携帯電話機２，６のユーザーがサービスエリア５の圏内で音声着呼を行った場合についても、ランダムアクセスメッセージ送信の前にページングメッセージ受信されること以外は、同様な動作が成される。
【００２４】
以上の通り、本実施の形態では、音声通話中にメールのセンター問い合わせを行う様にしたので、メールのセンター問い合わせに伴う待ち受け時間の低下やトラフィックの増大を防ぐことが出来る。又、携帯電話機２が常にサービスエリア５の圏内に存在しているにも拘わらずフェージングの影響等で電子メールを受信できなかった場合でも、音声発呼・着呼を行うことにより自動的にメールのセンター問い合わせを行う様にしているので、ユーザーは特に意識することなしにメールセンター３に保留されていた新着の電子メールを受信することが出来る。
【００２５】
尚、上記のセンター問い合わせ機能に対しては、携帯電話機２，６のメニューによりその機能をオンオフ出来る様にしても良い。更には、タイマにより、音声通話中に定期的に複数回センター問い合わせが行われる様にしても良い。又、図２では保留された電子メールの送受信方法について説明しているが、原理的には同様なため、保留された留守番電話の有無情報の送受信に本システムの上記機能を適用しても良い。
【００２６】
（実施の形態２）
図３は、本実施の形態に係るW-CDMA方式携帯電話システムの動作を示すシーケンス図である。以下、図１を参照しつつ、図３に於ける動作を説明する。
【００２７】
新着の電子メールがあると、メールセンター３は、移動通信網４経由で当該電子メールの宛先の携帯電話機２，６に対してページングメッセージを送信し、新着メールがある旨を通知する。しかし、前述した要因により携帯電話２，６はこのページングメッセージを受信できず、電子メールはメールセンター３に保留されたままとなる。
【００２８】
その後、携帯電話機２，６のユーザーがサービスエリア５の圏内で音声発呼を行うと、ランダムアクセスメッセージによって開始される発呼シーケンスが実行され、音声通話状態となる。携帯電話機２，６宛の保留されたメールがメールセンター３内にあるため、音声通話中に、メールセンター３による制御の下、移動通信網４から携帯電話２，６に対して、保留メールがある旨を示すページングメッセージが送信され、これを受信した携帯電話機２，６は、続いて、メールセンター３に保留された新着の電子メール本文を移動通信網４経由で受信する。音声通話中のページングメッセージの受信については制御データチャネル（C-plane）上で行い、電子メール本文の受信については、音声データが送受信されているユーザーデータチャネル（U-plane）の伝送レートを変更し、音声にパケットを多重化することで行う。
【００２９】
上記では音声発呼を行った場合について説明しているが、音声着呼を行った場合の動作についても、ランダムアクセスメッセージ送信の前にページングメッセージ受信されること以外は、同様である。
【００３０】
以上の様に、音声通話中に、保留されたメールのページングメッセージ送信を行う様にしたので、メールのセンター問い合わせに伴う待ち受け時間の低下やトラフィックの増大を防ぐことが出来る。又、携帯電話機２が常にサービスエリア５の圏内に存在しているにも拘わらずフェージングの影響等で電子メールを受信できなかった場合でも、音声発呼・着呼を行うことにより自動的に保留されたメールのページングメッセージ送信を行う様にしたので、ユーザーが特に意識することなしにメールセンター３に保留された電子メールを受信することが出来る。
【００３１】
尚、タイマにより、音声通話中に定期的に複数回ページングメッセージが送信される様にしても良い。又、保留されたメールの送受信方法について説明したが、原理的には同様なため、本システムの上記機能を保留された留守番電話の有無情報の送受信に適用しても良い。
【００３２】
（実施の形態３）
図４は、本実施の形態に係るW-CDMA方式携帯電話システムの動作を示すシーケンス図である。以下、図１を参照しつつ、図４に於ける動作を説明する。
【００３３】
新着の電子メールがあると、メールセンター３は、移動通信網４経由で当該電子メールの宛先の携帯電話機２，６に対してページングメッセージを送信し、新着メールがある旨を通知する。しかし、前述した要因により、携帯電話２，６はこのページングメッセージを受信できず、電子メールはメールセンター３に保留されたままとなる。
【００３４】
その後、携帯電話機２，６のユーザーが、サービスエリア５の圏内で、サイト接続・メール送信等のパケット発呼を行うと、ランダムアクセスメッセージによって開始される発呼シーケンスが実行され、パケット通信状態となる。パケット通信中に、携帯電話機２，６から移動通信網４へ自動的にセンター問い合わせメッセージが送信され、その結果、携帯電話機２，６は、メールセンター３に保留された電子メール本文を移動通信網４経由で受信する。この場合、パケット通信中のセンター問い合わせについては制御データチャネル（C-plane）上で行い、メール本文受信については、パケットデータが送受信されているユーザーデータチャネル（U-plane）の無通信区間を利用する、若しくは、伝送レートを変更し、パケットを多重化することで行う。
【００３５】
以上の通り、パケット通信中に、メールのセンター問い合わせを行う様にしたので、メールのセンター問い合わせに伴う待ち受け時間の低下やトラフィックの増大を防ぐことが出来る。又、携帯電話機２が常にサービスエリア５の圏内に存在しているにも拘わらずフェージングの影響等で電子メールを受信できなかった場合でも、パケット発呼を行うことにより自動的にメールのセンター問い合わせを行うようにしたので、ユーザーが特に意識することなしにメールセンター３に保留された電子メールを受信することが出来る。
【００３６】
尚、上記センター問い合わせに関しては、携帯電話機２，６のメニューにより、その機能をオンオフ出来る様にしても良い。更には、タイマにより、パケット通信中に定期的に複数回センター問い合わせが行われるようにしても良い。又、保留されたメールの送受信方法について説明したが、原理的には同様なため、本システムの上記機能を保留された留守番電話の有無情報の送受信に適用しても良い。
【００３７】
（実施の形態４）
図５は、本実施の形態に係るW-CDMA方式携帯電話システムの動作を示すシーケンス図である。以下、図１を参照しつつ、図５に於ける動作を説明する。
【００３８】
新着の電子メールがあると、メールセンター３は、移動通信網４経由で当該電子メールの宛先の携帯電話機２，６に対してページングメッセージを送信し、新着メールがある旨を通知する。しかし、前述した要因により、携帯電話２，６はこのページングメッセージを受信できず、当該電子メールはメールセンター３に保留されたままとなる。
【００３９】
その後、携帯電話機２，６のユーザーが、サービスエリア５の圏内で、サイト接続・メール送信等のパケット発呼を行うと、ランダムアクセスメッセージによって開始される発呼シーケンスが実行され、パケット通信状態となる。保留された新着電子メールがメールセンター３内にあるため、パケット通信中に、メールセンター３による制御の下、移動通信網４から携帯電話機２，６へ、保留メールがある旨を示すページングメッセージが送信され、これを受信した携帯電話機２，６は続いて、メールセンター３に保留された電子メール本文を移動通信網４経由で受信する。この場合、パケット通信中のページングメッセージ受信については制御データチャネル（C-plane）上で行い、メール本文受信については、パケットデータが送受信されているユーザーデータチャネル（U-plane）の無通信区間を利用する、若しくは、伝送レートを変更し、パケットを多重化することで行う。
【００４０】
以上の様に、パケット通信中に、保留されたメールのページングメッセージ送信を行う様にしたので、メールのセンター問い合わせに伴う待ち受け時間の低下やトラフィックの増大を防ぐことが出来る。又、携帯電話機２が常にサービスエリア５の圏内に存在しているにも拘わらずフェージングの影響等で電子メールを受信できなかった場合でも、パケット発呼を行うことにより自動的に保留されたメールのページングメッセージ送信を行う様にしたので、ユーザーが特に意識することなしにメールセンター３に保留された電子メールを受信することが出来る。
【００４１】
尚、タイマにより、パケット通信中に定期的に複数回ページングメッセージが送信される様にしても良い。又、保留されたメールの送受信方法について説明したが、原理的には同様なため、本システムの上記機能を保留された留守番電話の有無情報の送受信に適用しても良い。
【００４２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００４３】
【図１】本発明に係るW-CDMA方式携帯電話システムの構成図である。
【図２】本発明の実施の形態１の動作を示すシーケンス図である。
【図３】本発明の実施の形態２の動作を示すシーケンス図である。
【図４】本発明の実施の形態３の動作を示すシーケンス図である。
【図５】本発明の実施の形態４の動作を示すシーケンス図である。
【符号の説明】
【００４４】
１，２，６  携帯電話機、３  メールセンター、４  移動通信網、５  サービスエリア、７  メールサーバー（インターネット上）、８  インターネット。
【図１】
2006325058.tif 000003
【図２】
2006325058.tif 000004
【図３】
2006325058.tif 000005
【図４】
2006325058.tif 000006
【図５】
2006325058.tif 000007